Podtech/llm-jp-corpus-v4-ja_patent huggingface dataset:
(57)【要約】【課題】再封緘が可能で、内容物の取り出しも容易な段ボール製のラップラウンド箱を提供する。【解決手段】連設した各一対の側面板１及び端面板２により物品を包み込み、端面板２から延出した内フラップ３と、側面板１から延出した外フラップ４とを貼り合わせて封緘するラップラウンド箱において、開封時に天面側となる内フラップ３にスリット６を設け、側面板１と端面板２の稜部に上端から切目線８を入れておき、開封に際しては、天面側の外フラップ４を内フラップ３から引き剥がし、切目線８を切断して側面板１を開くようにし、その開封状態から側面板１を閉じて、外フラップ４の両角部をスリット６に差し込むと、再封緘できるようにする。【選択図】図３
2006069653.tif 000002
【特許請求の範囲】
【請求項１】
連設した各一対の側面板及び端面板により物品を包み込み、端面板から延出した内フラップと、側面板から延出した外フラップとを貼り合わせて封緘するラップラウンド箱において、開封時に天面側となる内フラップにスリットを設け、側面板と端面板の稜部に上端から切目線を入れておき、開封に際しては、天面側の外フラップを内フラップから引き剥がし、切目線を切断して側面板を開くようにし、その開封状態から側面板を閉じて、外フラップの両角部をスリットに差し込むと、再封緘できるようにしたことを特徴とする再封緘機能付ラップラウンド箱。
【発明の詳細な説明】
【技術分野】
【０００１】
この発明は、飲料缶等の包装に使用する段ボール製ラップラウンド箱に関する。
【背景技術】
【０００２】
一般に、ビール等の飲料缶の包装に使用される段ボール製のラップラウンド箱は、連設した各一対の側面板及び端面板を折り曲げて、集積した缶を包み込み、端面板から延出した内フラップと、側面板から延出した外フラップとをホットメルト接着剤で貼り合わせて封緘する構成とされている。
【０００３】
このラップラウンド箱を一般家庭で開封する際には、缶を冷蔵庫に補充する本数ずつ、数回に分けて取り出すことが多いことから、箱内に残存した缶の保管を考慮して、箱を縦置きにした状態で、外フラップを内フラップから引き剥がして開封する場合が多い。
【発明の開示】
【発明が解決しようとする課題】
【０００４】
しかしながら、上記のように開封すると、残存した缶を保管しておく際、外フラップと内フラップが折目の反発で開いたままとなり、箱内に塵埃等が侵入するので、衛生面で不安がある。また、開封状態において、天面のみが開口するので、缶の取り出しが難しいという問題がある。
【０００５】
そこで、この発明は、再封緘が可能で、内容物の取り出しも容易な段ボール製のラップラウンド箱を提供することを課題とする。
【課題を解決するための手段】
【０００６】
上記課題を解決するため、この発明は、連設した各一対の側面板及び端面板により物品を包み込み、端面板から延出した内フラップと、側面板から延出した外フラップとを貼り合わせて封緘するラップラウンド箱において、開封時に天面側となる内フラップにスリットを設け、側面板と端面板の稜部に上端から切目線を入れておき、開封に際しては、天面側の外フラップを内フラップから引き剥がし、切目線を切断して側面板を開くようにし、その開封状態から側面板を閉じて、外フラップの両角部をスリットに差し込むと、再封緘できるようにしたのである。
【発明の効果】
【０００７】
このようなラップラウンド箱では、外フラップの両角部を内フラップのスリットに差し込んで再封緘すると、箱内への塵埃等の侵入を防止でき、箱内を衛生的な状態に保つことができる。また、開封状態において、天面から側面へかけて開口するので、内容物を容易に取り出すことができる。
【発明を実施するための最良の形態】
【０００８】
以下、この発明の実施形態を添付図面に基づいて説明する。
【０００９】
図１に示すように、この段ボール製ラップラウンド箱のブランクでは、各一対の側面板１及び端面板２が交互に連設され、端面板２の上下縁には内フラップ３が、側面板１の上下縁には外フラップ４がそれぞれ連設されると共に、一方の端面板２の外縁には継代片５が連設されている。
【００１０】
そして、上部の各内フラップ３には、一方の外フラップ４に重なる部分に弧状のスリット６が設けられ、また、これらの内フラップ３の基部には、スリット６から一側縁にかけて、スリット６の押し開きを容易にする補助罫線７が入れられている。
【００１１】
さらに、継代片５と反対側の側面板１と端面板２の稜部には、上端から中間下部までジッパ形の切目線８が入れられ、この側面板１には、断続する半切線による横方向の折曲誘導線９，１０が中間上部及び下部に入れられている。
【００１２】
そのほか、両方の端面板２及び内フラップ３の内面には、収納した全ての缶を一度に取り出す際、平置き状態で上半部を切除して開封できるようにするため、カットテープ１１が貼着され、その切始用の切込１２が端面板２の中央部に形成されている。
【００１３】
上記のようなブランクを組み立てて飲料缶を包装するには、図２に示すように、各一対の側面板１及び端面板２を集積した飲料缶に巻き付けるように折り曲げ、継代片５を反対側の側面板１に貼り付ける。
【００１４】
次に、内フラップ３及び外フラップ４を順次内側へ折り曲げ、これらをホットメルト接着剤で貼り合わせて封緘する。このとき、外フラップ４はスリット６より内側で内フラップ３に貼り付けるとよい。
【００１５】
一方、このラップラウンド箱を縦置きにして開封する際には、図３に示すように、天面側のスリット６に重なる外フラップ４を内フラップ３から引き剥がし、切目線８を切断すると共に、この外フラップ４に繋がる側面板１を継代片５から引き剥がして、折曲誘導線９，１０沿いに折り曲げつつ、手前に開く。
【００１６】
このように開封すると、ラップラウンド箱は、天面から側面へかけて開口するので、天面のみを開口させる場合と異なり、隙間なく詰められた缶Ｃを上方に引き上げるようにして、容易に取り出すことができる。
【００１７】
なお、上記切目線８に加えて、継代片５と端面板２の稜部にも上端から切目線８を入れておくと、側面板１を継代片５から引き剥がさなくても、２本の切目線８を切断して、側面板１を開くことができる。
【００１８】
そして、冷蔵庫に補充する本数だけ缶Ｃを箱内から取り出した後、図４に示すように、開いていた側面板１を閉じ、天面側の内フラップ３を押圧して、補助罫線７沿いに屈曲させ、スリット６の両側に段差を生じさせた状態で、外フラップ４の両角部をスリット６に差し込むと、開口部を容易に再封緘することができるので、箱内への塵埃等の侵入を防止し、箱内を衛生的な状態に保持して、缶を保管することができる。
【図面の簡単な説明】
【００１９】
【図１】この発明の実施形態に係るラップラウンド箱のブランクを示す図
【図２】同上の封緘状態を示す斜視図
【図３】同上の開封状態を示す斜視図
【図４】同上の再封緘状態を示す斜視図
【符号の説明】
【００２０】
１  側面板
２  端面板
３  内フラップ
４  外フラップ
５  継代片
６  スリット
７  補助罫線
８  切目線
９，１０  折曲誘導線
１１  カットテープ
１２  切込
【図１】
2006069653.tif 000003
【図２】
2006069653.tif 000004
【図３】
2006069653.tif 000005
【図４】
2006069653.tif 000006
(57)【要約】      （修正有）【課題】  包装後にしか物品の特徴を表示することができない場合の、包装された物品に対する要求に対応する。【解決手段】  物品を包装する方法および選別装置であって、物品は予め選別されており、この選別は、具体的には、重量等の少なくとも一つの特徴の検出および分類結果に基づいて行われる。本方法および装置は、包装中に、少なくとも一つの特徴から導出される少なくとも一つの特徴量を、例えばプリンタにより包装体に表示する。特徴量は、適切な方法により、リアルタイムで包装体上に表示され、買い手や顧客に提示したり、さらなる処理のために用いられる。【選択図】なし【特許請求の範囲】
【請求項１】
物品を包装する方法であって、
前記物品は予め選別されており、この選別は、具体的には、重量等の少なくとも一つの特徴の検出および分類結果に基づいて行われるものにおいて、
包装中に、前記少なくとも一つの特徴から導出される少なくとも一つの特徴量を包装体に表示することを特徴とする方法。
【請求項２】
請求項１に記載の方法において、
各物品について前記少なくとも一つの特徴が処理装置に記憶され、
選別中に、前記処理装置は、一つの包装容器にまとめられる製品群について、前記少なくとも一つの特徴量を決定することを特徴とする方法。
【請求項３】
請求項１に記載の方法において、
前記少なくとも一つの特徴量は、前記包装容器上に表示されることを特徴とする方法。
【請求項４】
物品の選別と包装を連続して行う選別装置であって、
処理装置と、
重量等、少なくとも一つの特徴を検出する検出器と、
前記特徴に従って物品群を選別し、包装容器に包装する装置とを備える装置において、
包装中に、前記少なくとも一つの特徴から導出される少なくとも一つの特徴量を前記包装容器に表示する表示装置を備えることを特徴とする方法。
【発明の詳細な説明】
【技術分野】
【０００１】
本発明は、請求項１のプレアンブルに記載の方法に関する。
【背景技術】
【０００２】
このような方法は、選別および包装の技術分野、例えば食品、とくに果物、野菜や鶏卵の選別によく用いられている。例えばＥＰ５４０１２６には、各果物の重量を計測し、供給された果物の流れを選別するものが記載されている。
【発明の開示】
【発明が解決しようとする課題】
【０００３】
選別された物品に対してだけでなく、包装された物品に対する要求も増加している。一般的に、ある種の選別にかけられた物品のみが一つの包装容器にまとめられるが、別の考え得る組み合わせも可能である。食品等の物品の包装の技術分野においては、多くの例が知られており、重量だけでなく色によっても選別が行われる。このような包装に関する特徴を包装容器に表示（再生）することは、例えば色については必要がなく、また、包装容器にその特徴を表すことは困難である。これは、特に、包装後にしか表示を行うことができず、包装容器の充填処理を中断し、連続的な作動ではあるけれども、中断後にしか、表示を行うことができないためである。この表示は、例えば箱の充填後に総重量を表示する場合である。
【課題を解決するための手段】
【０００４】
この難点を解決するために、本発明による方法は、包装中に、少なくとも一つの特徴から導出される少なくとも一つの特徴量を包装体に表示することを特徴とする。
【０００５】
これにより、本発明による方法は、包装された物品本体についてのより詳細な情報を顧客や買い手に提供することができるという利点が得られる。さらに、製品に関連する値段やその他の情報を演算する等の、さらなる処理を行うことが可能となる。包装中にリアルタイムで特徴量を表示することにより、例えば別のコンベヤベルト上でラベルを貼る等の、別の処理を後から行う必要がないという優れた利点を得ることができる。
【０００６】
本発明による方法は、さらに、各物品について少なくとも一つの特徴が処理装置に記憶され、選別中に、処理装置は、一つの包装容器にまとめられる製品群について、少なくとも一つの特徴量を決定することを特徴とし、より具体的には、少なくとも一つの特徴量を包装容器上に表示することを特徴とする。
【０００７】
コンピュータによって制御され、大量のデータファイルを管理可能な選別装置が一般的に知られている。ＥＰ１３５９５３０には、選別した大量の鶏卵群のトレーサビリティを実現する一つの例が記載されている。一般的に、データファイルとしては、必要に応じて管理上の処理を行うためのものがある。さらに、例えばＵＳ２００２／００１１３１１Ａ１に記載されているように、物品に対して個別にマークをつけるものが知られている。
【０００８】
本発明は、さらに、上述した方法を実行する選別装置を提供する。この装置において、選別中にリアルタイムで直接、上記特徴量が決定される。本発明によれば、具体的には、ある包装容器の総充填重量、もしくは平均糖度等の少なくとも一つの特徴量が決定され、特徴量は信号として表示装置に送られる。表示装置は、例えばプリンタや、バーコード等のラベルを貼り付けるラベリング装置である。包装容器への物品の充填、および物品の特徴の提示は実質的に同時に行われるので、別の処理および作動を省略することができる。
【０００９】
当業者にとっては、上述した以外の種々の変形例も添付の特許請求の範囲の保護範囲内であることは明らかである。
【外国語明細書】
2006069670.tif 000002
2006069670.tif 000003
2006069670.tif 000004
2006069670.tif 000005
2006069670.tif 000006
(57)【要約】【課題】車体フレームへの固定構造が従来に比べより強固となるようなフレーム補強部材の形状を提案する。  【解決手段】底面部及び該底面部両端部分を同じ側に曲折してなる側面部からなる断面コ字形状の車体フレームのサイドレール１０内側に固定されるフレーム補強部材２０において、底面部２１及び該底面部両端部分を同じ側に曲折してなる側面部２２を有すると共に、これら側面部２２の先端部分を内側に曲折してなり、サイドレール１０の底面部１１に当接して固定される固定面部２３を少なくとも部分的に有することを特徴とする。【選択図】  図２
2006069401.tif 000002
【特許請求の範囲】
【請求項１】
底面部及び該底面部両端部分を同じ側に曲折してなる側面部からなる断面コ字形状の車体フレームのサイドレール内側に固定されるフレーム補強部材において、
底面部及び該底面部両端部分を同じ側に曲折してなる側面部を有すると共に、これら側面部の先端部分を内側に曲折してなり、前記車体フレームの底面部に当接して固定される固定面部を少なくとも部分的に有することを特徴とするフレーム補強部材。
【請求項２】
固定面部を、所定のピッチで設けた固定手段を利用して車体フレームの底面部に固定する請求項１記載のフレーム補強部材。
【請求項３】
固定手段のピッチが非等間隔である請求項２記載のフレーム補強部材。
【請求項４】
固定手段のピッチが車両後方へ向かうほど密になる請求項３記載のフレーム補強部材。
【請求項５】
固定手段がボルト及びナットである請求項２〜４のいずれか１項に記載のフレーム補強部材。
【発明の詳細な説明】
【技術分野】
【０００１】
本発明は、車体フレームを部分的に補強する補強部材に関する。
【背景技術】
【０００２】
底面部及び該底面部両端部分を同じ側に曲折してなる側面部からなるコ字形状の断面をもつ車体フレームについて部分的に補強を行うには、通常、図５示すようなフレーム補強部材を溶接している（たとえば特許文献１）。すなわち、フレーム１より若干小さくした同じくコ字形状の補強部材２をフレーム１の内側に挿入して四角形の閉断面を形成し、重なり合ったフレーム１の側面部１ａと補強部材２の側面部２ａとを溶接し固定してある。
【０００３】
【特許文献１】特開平１０−１４７２５５号公報
【０００４】
しかし、このような補強構造の場合、矢印ＡやＢで示すように、フレーム１又は補強部材２の底面部１ｂ，２ｂに横からの力が加わったときに、溶接を剪断する方向に力が働くことになるので、フレーム１と補強部材２との溶接が剥がれ固定が弱くなってしまうという改善点が存在している。
【発明の開示】
【発明が解決しようとする課題】
【０００５】
本発明は、上記のような背景に着目して、より強固な固定構造を得られるようなフレーム補強部材の形状を提案するものである。
【課題を解決するための手段】
【０００６】
本発明によれば、底面部及び該底面部両端部分を同じ側に曲折してなる側面部からなる断面コ字形状の車体フレームのサイドレール内側に固定されるフレーム補強部材において、底面部及び該底面部両端部分を同じ側に曲折してなる側面部を有すつと共に、これら側面部の先端部分を内側に曲折してなり、車体フレームの底面部に当接して固定される固定面部（言い換えれば断面略Ｃ字形状もしくは角パイプ形状）を少なくとも部分的に有することを特徴とする。
【０００７】
このようなフレーム補強部材は、その固定面部を、スポット溶接やボルト及びナット等による所定のピッチで設けた固定手段を利用して車体フレームの底面部に固定するものとすることができる。その固定手段のピッチは非等間隔とし、特に、車両後方へ向かうほどピッチが密になる（間隔が狭くなる）ようにするのが好ましい。
【発明の効果】
【０００８】
本発明によれば、側面部の先端部分を内側に曲折してなり車体フレームの底面部に当接する固定面部により固定する構造としたことにより、上述の背景技術のように、サイドレールに対し横からの力が加わった場合でも、固定剪断方向には力がかからないため、固定力がより強固である。
【０００９】
また、固定面部は、ボルト及びナットによる固定手段にて固定するようにすると、組み立て作業が非常に容易である。
【００１０】
さらに、固定手段のピッチを非等間隔、特に車両後方へ向かうにつれてピッチが密になるようにしておくと、ピッチが粗の側が比較的壊れやすいクラッシャブルゾーンとなって衝撃を吸収し且つピッチが密の側が比較的壊れにくいセイフティゾーンとなり得、耐衝撃性に優れるものとなる。
【発明を実施するための最良の形態】
【００１１】
図１に、断面コ字形状の車体フレームのサイドレール１０に対し部分的に適用したフレーム補強部材２０の例を示している。
【００１２】
このフレーム補強部材２０は、サイドレール１０の前端部分を補強するものであり、図１の反対側から見た図２及び図３と断面図の図４から分かる通り、底面部２１、底面部２１の両端部分を同じ側に曲折してなる側面部２２、そして側面部２２の先端部分を内側に曲折してなる固定面部２３からなる断面Ｃ字形状を有している。当該固定構造は長手方向に全体的に形成することももちろん可能であるが、本例の場合、補強部材２０の前側部分は、サイドレール１０の形状に合わせた異形断面をもっており、固定構造は後半部分に部分的に形成されている。
【００１３】
固定面部２３は、サイドレール１０の底面部１１に当接し、本例の固定手段としてのボルト及びナット２４にて所定のピッチＰで固定される。断面図の図４から分かる通り、矢印Ｘ及びＹで示すように底面部１１，２１に対し横からの力が加えられた場合でも、固定面部２３はサイドレール１０の底面部１１に固定されているため、固定を剪断する方向の力とはならない。したがって、従来構造に比べ格段に強固な固定構造となっている。
【００１４】
ボルト及びナット２４のピッチは、本例では等間隔に示してあるが、車両後方（矢印Ｚ）へ向かうにつれてピッチが密になり、より多くのボルト及びナット２４で固定される構造とすることにより、クラッシャブルゾーン（ピッチ粗）とセイフティゾーン（ピッチ密）とを形成することができ、安全性の面でより有利になる。
【００１５】
また、本例の補強部材２０はボルト及びナット２４による後付方式なので、サイドレール１０の内側にハーネス等を通す作業が比較的楽になるという利点も有している。
【図面の簡単な説明】
【００１６】
【図１】本発明のフレーム補強部材を車体フレームに固定した状態を示す斜視図。
【図２】図１の反対側から見た拡大斜視図。
【図３】本発明のフレーム補強部材の斜視図。
【図４】本発明のフレーム補強部材を車体フレームに固定した状態の断面図。
【図５】従来のフレーム補強部材を車体フレームに固定した状態の断面図。
【符号の説明】
【００１７】
１０  サイドレール（車体フレーム）
１１  底面部
２０  補強部材
２１  底面部
２２  側面部
２３  底面部
２４  固定手段（ボルト及びナット）
【図１】
2006069401.tif 000003
【図２】
2006069401.tif 000004
【図３】
2006069401.tif 000005
【図４】
2006069401.tif 000006
【図５】
2006069401.tif 000007
(57)【要約】【課題】自動車車体のドア開口部１７周縁のフランジ１８に取着される取付部１３と、該取付部１３より突出形成され、第１及び第２の中空シール部１４、１５を縦向きに連設してなるダブルシールタイプの中空シール部１６を備え、ドアを閉じたとき、ドアパネル１９に弾接する中空シール部１６の第１の中空シール部１４と第２の中空シール部１５の間に略Ｖ形状の溝２１が形成されるウェザーストリップ１、２０において、略Ｖ形状の溝２１を通して音が通過するのを防ぐ。【解決手段】第１の中空部１４の壁部１４ａに突部２を形成し、ドアを閉じたとき突部２が第２の中空部１５の壁部１５ａに押付けられ、略Ｖ形状の溝２１を塞ぐ遮音壁となり、音を遮断する。【選択図】図２
2006069493.tif 000002
【特許請求の範囲】
【請求項１】
自動車車体のドア開口部１７周縁のフランジ１８に取着される取付部１３と、該取付部１３より突出形成され、第１及び第２の中空シール部１４、１５を縦向きに連設してなるダブルシールタイプの中空シール部１６を備え、ドアを閉じたとき、ドアパネル１９に弾接する中空シール部１６の第１の中空シール部１４と第２の中空シール部１５の間に略Ｖ形状の溝２１が形成されるウェザーストリップ１、２０において、上記略Ｖ形状の溝２１を形成する第１の中空シール部１４の壁部１４ａと第２の中空シール部１５の壁部１５ａのうち、一方の壁部１４ａ又は１５ａに中空シール部外に突出する突部２、４を設け、ドアを閉じ、中空シール部１６がドアパネル１９により押し潰されたとき、上記突部２、４が他方の壁部１４ａ又は１５ａに押付けられ、上記略Ｖ形状の溝２１を塞いで該略Ｖ形状の溝２１との間で第３の中空部３を形成するようにしたウェザーストリップ。
【発明の詳細な説明】
【技術分野】
【０００１】
本発明は、自動車車体のドア開口縁に装着されるウェザーストリップに関し、ことに自動車車体のドア開口縁に取着される取付部と、該取付部に第1及び第２の中空部を縦向きに連設したダブルシールタイプの中空シール部を備えたウェザーストリップに関する。
【背景技術】
【０００２】
図４は、従来のこの種のウェザーストリップの一例を示すもので、断面略Ｕ形状をなして芯金１１を埋設し、かつ内側に保持リップ１２ａ、１２ｂを対向して突設したソリッドゴム製の取付部１３と、該取付部１３の車外側の側面に突設され、第１の中空部１４と第２の中空部１５を縦向きに連設した形態をなすダブルシールタイプのスポンジゴム製の中空シール部１６とからなり、図５に示すような自動車の車体開口部１７周縁のフランジ１８に取付部１３を差し込むことによって取付けられるようになっている。この種のウェザーストリップが下記特許文献１に開示されている。
【特許文献１】特開２００１−２６０７６８号
【発明の開示】
【発明が解決しようとする課題】
【０００３】
図４に示すウェザーストリップ２０は、ドアを閉じたとき図６に示すように、中空シール部１６がドアパネル１９により押し潰されて第１の中空部１４と第２の中空部１５の間に略Ｖ形状の溝２１が形成され、この溝２１より隔壁２２を通して音が通過する現象を生じている。
【０００４】
本発明は、ダブルシールタイプの中空シール部を備えたウェザーストリップにおける上記の問題を解消し、遮音機能を改善させることを目的とする。
【課題を解決するための手段】
【０００５】
本発明は、自動車車体のドア開口部周縁のフランジに取着される取付部と、該取付部より突設され、第１及び第２の中空部を縦向きに連設してなるダブルシールタイプの中空シール部を備え、ドアを閉じたとき、ドアパネルに弾接する中空シール部の第１の中空部と第２の中空部の間に略Ｖ形状の溝が形成されるウェザーストリップに関するものである。そして略Ｖ形状の溝を形成する第１の中空部の壁部と、第２の中空部の壁部のうち、一方の壁部には中空部外に突出する突部を設け、ドアを閉じ、中空シール部がドアパネルにより押し潰されたとき、上記突部が他方の壁部に押付けられて、略Ｖ形状の溝を塞ぎ、略Ｖ形状の溝とで第３の中空部を形成するようにしたものである。
【発明の効果】
【０００６】
本発明のウェザーストリップによると、ドアを閉じたとき、突部が遮音壁となって略Ｖ形状の溝を塞ぎ、これにより略Ｖ形状の溝より進入する音を遮断し、車外の音がウェザーストリップを通して車内に侵入するのを防ぐことができる。
【発明を実施するための最良の形態】
【０００７】
図１は、本発明に係わるウェザーストリップ１を示すものであり、図２は、ドアを閉じたときのウェザーストリップを示すもので、図中、図４に示す従来のウェザーストリップと同一構造部分には、略Ｖ形状の溝２１を形成する第１の中空部１４の車外側の壁部１４ａと、第２の中空部１５の車外側の壁部１５ａのうち、壁部１４ａには、中空部外に斜め上向きに突出する突部２が一体に形成され、ドアを閉じ、ドアパネル１９により中空シール部１６が押し潰されて壁部１４ａと壁部１５ａが略Ｖ形状の溝２１を形成するとき、突部２が壁部１５ａに押付けられ、略Ｖ形状の溝２１を塞いで略Ｖ形状の溝２１とで第３の中空部３を形成するようになっている（図２）。
【０００８】
図３は、第１の中空部１４と第２の中空部１５のうち、第２の中空部１５の車外側の壁部１５ａに突部４を一体に形成し、ドアを閉じたとき、突部４が第１の中空部１４の壁部１４ａに押付けられるようにしたものである。
【産業上の利用可能性】
【０００９】
本発明は、自動車車体のドア開口縁に取付けられるダブルシールタイプの中空シール部を備えたウェザーストリップに適用される。
【図面の簡単な説明】
【００１０】
【図１】本発明に係わるウェザーストリップの断面図。
【図２】ドアを閉じたときの状態を示すウェザーストリップの断面図。
【図３】本発明に係わるウェザーストリップの別の例の断面図。
【図４】従来のウェザーストリップの断面図。
【図５】自動車車体のドア開口縁部を示す要部の側面図。
【図６】ドアを閉じたときの図４に示すウェザーストリップの断面図
【符号の説明】
【００１１】
１、２０・・ウェザーストリップ
２、４・・突部
３・・第３の中空部
１１・・芯金
１２ａ、１２ｂ・・保持リップ
１３・・取付部
１４・・第１の中空部
１５・・第２の中空部
１６・・中空シール部
１７・・車体開口部
１８・・フランジ
１９・・ドアパネル
２１・・略Ｖ形状の溝
２２・・隔壁
【図１】
2006069493.tif 000003
【図２】
2006069493.tif 000004
【図３】
2006069493.tif 000005
【図４】
2006069493.tif 000006
【図５】
2006069493.tif 000007
【図６】
2006069493.tif 000008
(57)【要約】【課題】  必要なときに確実にホーンを作動させることができるようにする。【解決手段】  ステアリング１のステアリングシャフト２に、ステアリングシャフト２の荷重を検知する荷重センサ５を設け、荷重センサ５が荷重を検知したときにホーン８を作動させる。【選択図】    図１
2006069249.tif 000002
【特許請求の範囲】
【請求項１】
ステアリングの回転軸に、該回転軸の荷重を検知する荷重検知手段を設け、この荷重検知手段が荷重を検知したときにホーンを作動させることを特徴とするホーンスイッチ構造。
【発明の詳細な説明】
【技術分野】
【０００１】
この発明は、ホーンスイッチ構造に関するものである。
【背景技術】
【０００２】
従来、車両では、一般的に、ステアリングホイールの中央にホーンスイッチボタンを設けていたが、エアバッグ装置をステアリングホイールの中央に設置した場合には、ホーンスイッチボタンを別の位置に設置しなければならない。例えば、特許文献１では、ホーンスイッチボタンをステアリングホイールのスポーク部に設けている。
【特許文献１】特開平８−２３２２号公報
【発明の開示】
【発明が解決しようとする課題】
【０００３】
しかしながら、このようにホーンスイッチボタンをステアリングホイールのスポーク部に設けると、ホーンスイッチボタンが極めて限定された部位に設置されているため、ステアリングホイールを回転操作しながらホーンを作動させるときなどに、ホーンスイッチボタンを押しにくかった。
そこで、この発明は、必要なときに確実にホーンを作動させることができるホーンスイッチ構造を提供するものである。
【課題を解決するための手段】
【０００４】
上記課題を解決するために、請求項１に係る発明は、ステアリング（例えば、後述する実施例におけるステアリング１）の回転軸（例えば、後述する実施例におけるステアリングシャフト２）に、該回転軸の荷重を検知する荷重検知手段（例えば、後述する実施例における荷重センサ５）を設け、この荷重検知手段が荷重を検知したときにホーン（例えば、後述する実施例におけるホーン８）を作動させることを特徴とするホーンスイッチ構造である。
このように構成することにより、ステアリングホイールのどの部分を押しても、荷重検知手段が荷重を検知したときにホーンを作動させることができる。
【発明の効果】
【０００５】
請求項１に係る発明によれば、ステアリングホイールのどの部分を押しても、荷重検知手段が荷重を検知したときにホーンを作動させることができるので、必要なときに確実にホーンを作動させることができる。
【発明を実施するための最良の形態】
【０００６】
以下、この発明に係るホーンスイッチ構造の実施例を図１および図２の図面を参照して説明する。
この実施例は、車両のステアリングに適用した態様であり、図１に示すように、ステアリング１は、従来の一般的なステアリングと同様に、回転軸としてのステアリングシャフト２の先端にステアリングホイール３を備えて構成されている。ステアリングシャフト２は、図示しない転舵機構を介して転舵輪（前輪）に連係されており、ステアリングシャフト２の回転動作が転舵輪の転舵動作に変換される。
ステアリングホイール３は、図２に示すような一般的な丸形ハンドルタイプであり、中央のエアバッグ収納部３ａと、その外側を包囲する環状のハンドル部３ｂとが、スポーク部３ｃで接続されて構成されている。
【０００７】
ステアリングシャフト２の軸受部２ａには、ステアリングシャフト２の荷重を検知する荷重センサ（軸方向荷重検知手段）５が設置されている。荷重センサ５は、ステアリングシャフト２の軸方向荷重および曲げ方向荷重を検出することができる。曲げ方向荷重とは、例えばステアリングホイール３の右側を押して左側を引くといったステアリングホイール３の対向する部位を逆方向へ偏位させようとした場合におけるステアリングシャフト２に加わる荷重のことであり、例えば、ステアリングシャフト２の周りに複数の荷重センサ５を設けて、対向する荷重センサの検出値の差から曲げ方向荷重を検知することが可能である。
荷重センサ５は、検出した荷重の大きさに対応した電気信号を電子制御装置６に出力する。
電子制御装置６は、荷重センサ５の出力信号に基づいて、バッテリー７からホーン８に電力供給可能にする回路に設けられたホーンスイッチ（図示せず）を制御する。すなわち、ステアリングシャフト２に作用する荷重が所定の大きさ（以下、下限荷重と称す）を超えたときには、前記ホーンスイッチをＯＮにし、バッテリー７の電力を供給してホーン８を作動し、ステアリングシャフト２に作用する荷重が前記下限荷重以下のときには、前記ホーンスイッチをＯＦＦにし、ホーン８に電力を供給せず、ホーン８を作動させない。
ここで、前記下限荷重の大きさを、通常のステアリング操作においてステアリングシャフト２に作用する荷重の最大値よりも大きい値に設定しておくことにより、通常のステアリング操作をしているときにはホーン８を作動させないようにすることができる。
【０００８】
このように構成されたホーンスイッチ構造によれば、ステアリングホイール３のどの部分を押しても（叩いても）、前記ステアリングシャフト２に前記下限荷重を超える荷重を作用させている限り、ホーン８を作動させることができる。
したがって、図２においてハンドル部３ｂの周方向いずれの部位を叩いてもホーン８を作動させることができる。換言すると、ステアリングホイール３の操舵角（転舵輪の転舵角）に関わらず、運転者との相対位置において常にほぼ同じ位置に位置するステアリングホイール３の部位を叩いて、ホーン８を作動させることができる。その結果、ステアリングホイール３を回転させながらホーン８を作動させるときにもホーン８を確実に作動させることができ、必要なときに確実にホーン８を作動させることができる。
【図面の簡単な説明】
【０００９】
【図１】この発明に係るホーンスイッチ構造の概略構成図である。
【図２】ステアリングホイールの正面図である。
【符号の説明】
【００１０】
１  ステアリング
２  ステアリングシャフト（回転軸）
５  荷重センサ（荷重検知手段）
８  ホーン
【図１】
2006069249.tif 000003
【図２】
2006069249.tif 000004
(57)【要約】【課題】認定や指定による資格を求められる特定の医療行為を、資格を有しない医師が行う事故を防ぐ医療情報システムの提供を課題とする。【解決手段】医師を特定する医師特定情報とその医師の所有資格を関連付け記録した第１のデータテーブルと、医療行為名とその医療行為の指示あるいは実行するのに必要な資格を関連付け記録した第２のデータテーブルと、医療行為を行う際にその医療行為を指示あるいは実行する医師の医師特定情報と実行する医療行為名を入力する第１の手順と、第１の手順で入力された医師特定情報からその医師の所有資格を第１のデータテーブルから読み出す第２の手順と、第１の手順で入力された医療行為名からその医療行為に必要な資格を第２のデータテーブルから読み出す第３の手順と、第２の手順で読み出された所有資格と第３の手順で読み出された資格とを比べ、その結果を報知する第４の手順とからなる処理で課題を解決する。【選択図】図１
2006293897.tif 000002
【特許請求の範囲】
【請求項１】
医師を特定する医師特定情報とその医師の所有資格を関連付け記録した第１のデータテーブルと、
医療行為名とその医療行為の指示あるいは実行するのに必要な資格を関連付け記録した第２のデータテーブルと、
医療行為を行う際にその医療行為を指示あるいは実行する医師の医師特定情報と実行する医療行為名を入力する第１の手順と、
前記第１の手順で入力された医師特定情報からその医師の所有資格を第１のデータテーブルから読み出す第２の手順と、
前記第１の手順で入力された医療行為名からその医療行為に必要な資格を第２のデータテーブルから読み出す第３の手順と、
第２の手順で読み出された所有資格と第３の手順で読み出された資格とを比べ、その結果を報知する第４の手順とからなる医療情報システム。
【発明の詳細な説明】
【技術分野】
【０００１】
医療情報を取り扱う情報システムに関する
【背景技術】
【０００２】
医療事故を防ぐ目的で、患者の確認、薬の確認、患者と薬の組む合わせの確認に関する発明が従来よりあった。
【特許文献１】特開2004-348717
【発明の開示】
【発明が解決しようとする課題】
【０００３】
ところで、認定や指定による資格を求められる特定の医療行為を、資格を有しない医師が行う事故が時にある。しかしなが、従来は前述のように患者や薬の確認のみで、医師の資格まで確認するものはなった。そこで本発明は医師の資格まで確認して医療事故を防ぐ医療情報システムの提供を課題とする。    
【課題を解決するための手段】
【０００４】
医師を特定する医師特定情報とその医師の所有資格を関連付け記録した第１のデータテーブルと、医療行為名とその医療行為の指示あるいは実行するのに必要な資格を関連付け記録した第２のデータテーブルと、
医療行為を行う際にその医療行為を指示あるいは実行する医師の医師特定情報と実行する医療行為名を入力する第１の手順と、第１の手順で入力された医師特定情報からその医師の所有資格を第１のデータテーブルから読み出す第２の手順と、
第１の手順で入力された医療行為名からその医療行為に必要な資格を第２のデータテーブルから読み出す第３の手順と、第２の手順で読み出された所有資格と第３の手順で読み出された資格とを比べ、その結果を報知する第４の手順とからなる処理で課題を解決する。
【発明の効果】
【０００５】
例えば内視鏡手術を行う際に、資格を有さない医師を施術者として指名等を入力すると、不適格として報知されるので、医療事等が未然に防げる。  
【発明を実施するための最良の形態】
【０００６】
図１は本発明を実施するパーソナルコンピュータである。報知手段はディスプレー、第１のデータテーブル及び第２のデータテーブルはメモリを使用する。  メモリ以外の記録手段を用いてもよい。入力手段はキーボードやタッチパネル等を用いる。        
【０００７】
次に、本発明を実施する場合を説明する。第１のデータテーブルには医師を特定する医師特定情報とその医師の所有資格を関連付け記録しておく。第２のデータテーブルには医療行為名とその医療行為の指示あるいは実行するのに必要な資格を関連付け記録しておく。        
【０００８】
例えば、医師１が内視鏡手術を行おう際には、入力手段を用いて氏名等の医師特定情報と実行する医療行為名を入力する第１の手順を実行する。
【０００９】
次に第１の手順で入力された医師特定情報からその医師の所有資格を第１のデータテーブルから読み出す第２の手順を実行する。
【００１０】
次に第２の手順で読み出された所有資格と第３の手順で読み出された資格とを比べ、その結果を報知する第４の手順を実行する。
なお、実行結果はディスプレーで適合、不適合等と表示すればよい。
【図面の簡単な説明】
【００１１】
【図１】・・・本発明の構成
【図２】・・・第１のデータテーブルの例
【図３】・・・第２のデータテーブルの例
【図３】
2006293897.tif 000003
【図１】
2006293897.tif 000004
【図２】
2006293897.tif 000005
(57)【要約】【課題】従来、歯科医の患者は通院を原則とするため、その通院が不規則になることで、キャンセルになる場合が多かった。また歯科医に知らせることなくキャンセルになる場合が多く、歯科医の診療業務、診療予約業務に悪影響を与えていた。また他方、患者からみると、診療予約可能日時はいつなのかということを、歯科医に問い合わせなければわからず、また診療時間外ではいっさいその情報は得られず自己の通院計画をたてることに悪影響を与えていた。【解決手段】  歯科医の診療予約状況・診療実績をＤＢ化し、患者によるその照会およびＤＢから発せられる患者への通知をパソコン・携帯電話およびインターネットを用いて、歯科医・患者両者の双方向の情報伝達を時空を超えて可能にする。また歯科医療には必須の医療品情報も歯科医療品販売元の入力によってＤＢに加え、優良医療品の普及を促進し、患者の健康管理に役立てる。またＮ：Ｎ型ＡＳＰを用いることにより、構築費用・メンテナンス費用の削減を図る。【選択図】図１
2006293964.tif 000002
【特許請求の範囲】
【請求項１】
歯科医が患者の予約情報を診療日直前に電子メールにて患者のパソコンあるいは携帯電話に送信し、そのメールに対し、通院可・不可どちらかの返信キーを選択することにより、歯科医の情報システムにその結果を知らせる情報システム。
【請求項２】
患者が歯科医の診療予約状況をパソコンあるいは携帯電話から照会でき、予約希望日時を患者のパソコンあるいは携帯電話から歯科医へ通知できるとともに、その予約希望に対して、歯科医が可・不可どちらかの返信キーを選択することにより、確認のメールを患者のパソコンあるいは携帯電話を送信する情報システム。
【請求項３】
歯科医療品販売元が歯科医療品に関する情報を登録し、歯科医が患者の病状に応じて、いくつかの歯科医療品を選定し、その歯科医療品の内容・購入方法などを、患者のパソコンあるいは携帯電話に電子メールにて送信し、患者はその歯科医療品の注文をパソコンあるいは携帯電話よりおこなえる情報システム。
【請求項４】
歯科医があらかじめ記録された患者の再来院予定日情報にもとづき、適時にその通知を患者のパソコンあるいは携帯電話に電子メールにて送信する情報システム。
【請求項５】
歯科医がその診療記録にもとづき、毎年１月に前年分の診療明細を患者のパソコンあるいは携帯電話に電子メールにて送信する情報システム。
【請求項６】
歯科医療品販売元は歯科医あるいは患者が入力した歯科医療品注文データに基づき、その納品データを入力し、歯科医、患者の支払金額を計算、その金額を表示する情報システム。
【請求項７】
請求項１から６に掲げた情報システムをあらかじめパッケージ化し、パスワード等のアクセス権を付与することによって利用者を特定し、複数の歯科医療品販売元、歯科医、及び患者に利用可能とすると同時に有料にて複数の歯科医療品販売元及び歯科医に貸与する情報システム。（いわゆるＡＳＰ）
【発明の詳細な説明】
【発明の詳細な説明】
【発明が解決しようとする課題】
【０００１】１．従来、歯科医に通院する患者は、その通院日が不特定なことから忘れる場合や、急用でキャンセルする場合が多く、歯科医が計画的な診療業務計画をたてることが困難であるという問題点があった。
２．そのため、急に通院不可能となった患者に対する電話応対のため診療業務を中断するなど、診療業務に弊害を与えるというという問題点があった。
３．患者にとって歯科医で購入する歯科医療品に関し、その価格について不透明感・割高感があるという問題点があった。
４．患者が歯科医の診療予約をとる場合、歯科医の休日、診療時間外においては不可能であるという問題点があった。
５．患者が確定申告で医療費控除をうけるときなど、その領収書の確認などに基礎となる情報が不足しているという問題点があった。
【課題を解決するための手段】
【０００２】１．一般に普及したパソコン・携帯電話とインターネットを活用し、歯科医療品販売元・歯科医・患者が双方向の情報伝達をおこなうことによって、その情報伝達に対する手間を削減する。
２．システムの構築費・メンテナンス費を削減するため、複数の利用者の処理を可能とするＮ：Ｎ型のＡＳＰを活用する。
【発明の効果】
【０００３】１．患者はいつでも、どこでも診療可能日時を自己のパソコンや携帯電話で確認できるとともに診療予約の希望を登録でき、診療時間内に担当医に電話で確認する手間から解放される。
２．患者は担当医からの各種の通知をいつでも、どこでも受け取ることが可能となり、自己の健康管理に寄与する。
３．ＡＳＰを使用する場合、歯科医療品販売元・歯科医は多額の情報システム構築費用をかけることなく、高度な業務情報化が可能となる。
４．患者の予約受付業務が軽減することや、患者の確実な来院情報をシステムか得られることになり、歯科医が診療業務へ集中できるようになる。
５．患者が担当医の推薦のもと、適切な歯科医療品を適切な価格で入手することが可能となる。
【図面の簡単な説明】
【図１】当情報システムの概要図である。
【図１】
2006293964.tif 000003
(57)【要約】【課題】マウス操作時の、手の湿気の不快を取り除くことを主にした方法はないか。また、コストが安く、交換するにも手間や時間がかからない方法はないか。さらに、無機的なパソコンの上で、使用者の個性を発揮するものはないかと考え、以上については、平成１６年１１月１７日付け〔書類名〕特許願〔出願（申請）番号〕特願２００４−３６５０４９私が申請中である。  今回の、この申請では、上記の申請に対し新しく、使用者の気分向上や清潔感に重点を置いて、匂い付きの交換式専用紙及び殺菌剤付きの交換式専用紙を発明したものである。【解決手段】マウスの上に本発明の専用紙を置き、専用クリップでとめる。【選択図】図２
2006293963.tif 000002
【特許請求の範囲】
【請求項１】
コンピュータのマウスの上部及び側面を覆う、手指の湿気及び汚れを吸着するための交換式専用紙に対する、香り及び香り剤付きの交換式専用紙である。
【請求項２】
コンピュータのマウスの上部及び側面を覆う、手指の湿気及び汚れを吸着するための交換式専用紙に対する、殺菌剤付きの交換式専用紙である。
【発明の詳細な説明】
【技術分野】
【０００１】  本発明は、マウスの使用時に、手指の汗や脂、汚れをとるための専用紙に関するものである。
【背景技術】
【０００２】  従来、マウスはそのまま使用するか、汚れや脂を防ぐマウスカバーが使用されていた。マウスカバーは、マウス本体に付く汚れを防止する考えで主に装着されており、長期専用的に使用し、毎日、交換しないため清潔とはいえず、コストが高く、また、交換するにも手間や時間がかかった。
さらに、従来のマウスカバーは手の湿気の不快を取り除くことを主にしていない。
マウスにウエア的交換式の専用紙を上に置き、毎日もしくは一日何回も交換する専用紙は従来なかった。
なお、以上については、平成１６年１１月１７日付け〔書類名〕特許願〔出願（申請）番号〕特願２００４−３６５０４９私が申請中であるが、今回の、この申請では、さらに、匂い及び匂い剤つき、もしくは殺菌液つきのマウスウエアに改良を加えたい。
【発明の開示】
【発明が解決しようとする課題】
【０００３】  コンピュータの入力時に使用するマウスは、裸のままで使用するので、汗と脂で不快である。特に、湿気の多い日本ではマウスを使う手指の湿気が空気中への乾燥蒸発では解消はされにくく、手指のベタベタ感が問題である。
マウス操作時の、手の湿気の不快を取り除くことを主にした方法はないか。また、コストが安く、交換するにも手間や時間がかからない方法はないか。
さらに、無機的なパソコンの上で、使用者の個性を発揮するものはないかと考え、これを解決するためマウスウエアを発明し、平成１６年１１月１７日付け〔書類名〕特許願〔出願（申請）番号〕特願２００４−３６５０４９で私が申請した。
今回は、さらに、このマウスウエアの交換式の専用紙に、使用者が好む匂いを持たせれば使用者の気分向上がさらに図られる。また、殺菌液を染み込ませば清潔感が一段と向上する。
【課題を解決するための手段】
【０００４】  マウスの上に、平成１６年１１月１７日付け〔書類名〕特許願〔出願（申請）番号〕特願２００４−３６５０４９で申請した交換式専用紙（紙やスパンレース不織布等で作成されている）に変え、今回の香りつきの機能を持たせた交換式専用紙を置き専用クリップでとめる。
本発明により交換専用紙を香りつきの機能を持たせることで、使用者の気分向上が図られる。
また、清潔感に重点を置けば、交換式専用紙に殺菌液を染み込ませ、殺菌機能を持たせることでよりいっそうの清潔感が保たれる。
【発明の効果】
【０００５】  マウスの上に、平成１６年１１月１７日付け〔書類名〕特許願〔出願（申請）番号〕特願２００４−３６５０４９で申請した交換式専用紙を置くことにより、手の湿気及びベタベタ感の不快をすぐに取り除くことができる。また、交換式専用紙の色やデザインを考慮することにより、使用者の個性を発揮できる。
さらに、今回の本発明により、交換専用紙を香りつきの機能も付加することで、使用者の気分安定及び向上がさらに図られる。
また、清潔感に重点を置けば、今回の本発明により、交換式専用紙に殺菌液を染み込ませ、殺菌機能を持たせた当発明品でよりいっそうの清潔感が保たれる。
【発明を実施するための最良の形態】
【０００６】  マウスの上に、平成１６年１１月１７日付け〔書類名〕特許願〔出願（申請）番号〕特願２００４−３６５０４９で申請した交換式専用紙本発明品である交換式専用紙を置き、専用のクリップでとめることにより、手の湿気及びベタベタ感の不快をすぐに取り除くことができる。また、交換式専用紙の色やデザインを考慮することにより、使用者の個性を発揮できる。
上記の特許願い済に、加えた、次の本発明の実施の形態はつぎのとおりである。
【実施例１】
【０００７】  平成１６年１１月１７日付け〔書類名〕特許願〔出願（申請）番号〕特願２００４−３６５０４９で申請した交換式専用紙（材料の紙やスパンレース不織布等）に天然及び人工香料を液状にして染み込ませて袋詰めする。もしくは香りガスを袋詰めし、交換式専用紙に香りを加える。
【実施例２】
【０００８】  平成１６年１１月１７日付け〔書類名〕特許願〔出願（申請）番号〕特願２００４−３６５０４９で申請した交換式専用紙（材料の紙やスパンレース不織布等）に、固形もしくはシート状の天然及び人工香料を挿入もしくは貼り付ける。
【実施例３】
【０００９】  平成１６年１１月１７日付け〔書類名〕特許願〔出願（申請）番号〕特願２００４−３６５０４９で申請した交換式専用紙（材料の紙やスパンレース不織布等）に消毒液を染み込ませて袋詰めする。
【図面の簡単な説明】
【００１０】
【図１】本発明品とマウスクリップを使用してのマウスとともに示した実施形態斜視図
【図２】本発明品平面型平面図（香り固形物付き）
【図３】本発明品カップ型平面図（香りシート付き）
【図４】本発明品をパック詰めした参考図（〔出願（申請）番号〕特願２００４−３６５０４９で申請した交換式専用紙と、香りガスのみの場合や、〔出願（申請）番号〕特願２００４−３６５０４９で申請した交換式専用紙と消毒液のみの場合及び、香りガス消毒液両方を使用するときもある）
【符号の説明】
【００１１】  １  発明品本体
２  マウス本体
３  専用クリップ
４  デザイン
５  香り固形物
６  香りシート
７  袋パック
８  香りガス
９  消毒液入り
【図１】
2006293963.tif 000003
【図２】
2006293963.tif 000004
【図３】
2006293963.tif 000005
【図４】
2006293963.tif 000006
(57)【要約】【課題】      視聴者や読者がいながらにして企画に参加し、瞬時にその結果を判定し、視聴者にそれに伴うサービスを付与して視聴者参加を促し、視聴率を高めること。【解決手段】  テレビ・パソコン・雑誌・新聞など媒体上にある印やデーターを携帯電話やこの方法に利用可能な機器を利用して読み取り、データーを番組企画宛に送信し、即座にその結果が判明することで視聴者や読者などが番組に簡易に敏速に企画参加させる。【選択図】      図２
2006293958.tif 000002
【特許請求の範囲】
【請求項１】
テレビ・パソコン・雑誌・新聞など媒体上にある印やデーターを携帯電話やこの方法に利用可能な機器を利用して読み取り、データーを番組企画宛に送信し、即座にその結果が判明することで視聴者や読者などが番組に簡易に敏速に企画参加する方法。
【請求項２】
テレビ・パソコン・雑誌・新聞など媒体上にある印やデーターを携帯電話やこの方法に利用可能な機器を利用して読み取り、磁気カードなど記録媒体に記録し、番組企画宛に送り、それに見合うサービスを参加視聴者に与える方法。
【請求項３】
ＩＴ機器を活用した番組企画参加方法をとるために、携帯電話やこの方法に利用可能な機器にそのデーターの読み取り・配信機能を付帯すること。
【請求項４】
ＩＴ機器を活用した企画参加方法をとるための印やデーターをテレビ・パソコン・雑誌・新聞など媒体上に付加すること。
【発明の詳細な説明】
【技術分野】
【０００１】  本発明は、テレビ・パソコン・雑誌・新聞など媒体上にある印やデーターを携帯電話やこの方法に利用可能な機器を利用して読み取り、データーを番組企画宛に送信し、即座にその結果が判明することで視聴者や読者などが番組に簡易に敏速に企画参加できる方法に関する。
【背景技術】
【０００２】  従来、視聴者参加テレビ番組などでは電話やＦＡＸ・メールなどを利用して視聴者を参加させ、それに伴うサービスを付与して視聴者参加を促し、視聴率を高めていた。【０００３】  最近では、電話投票で人気や評判をとり参加意識を高めている。【０００４】  しかし、クイズ番組などは視聴者でなく番組出演者が答え、そこでの解答や解答が多い出演者を電話やはがき・ＦＡＸなどで視聴者が応募する形式が多い。【０００５】  画面上や紙面上に二次元バーコードなどを表示したものを携帯電話で読み取らせる方法もあるが、それは視聴者・読者に番組企画側の情報を一方的に送るものであった。【０００６】  語学学習やインターネット学習・学習ソフトでの双方向通信学習もあるが視聴者の自主性や自由な意見が反映されたものでなく、結果的に簡易に敏速に企画参加しているとは言えない。
【発明の開示】
【発明が解決しようとする課題】
【０００７】  解決しようとする問題点は従来の視聴者参加テレビ番組などの方法での番組出演者だけクイズなどに答え、視聴者はその場で一緒になって参加し景品など手にすることが出来ない問題を視聴者や読者がいながらにして企画に参加し、瞬時にその結果を判定し、視聴者にそれに伴うサービスを付与して視聴者参加を促し、視聴率を高めるようにする。
【課題を解決するための手段】
【０００８】  上記目的を達成するために、本発明の方法においては、テレビ・パソコン・雑誌・新聞など媒体上にある印やデーターを携帯電話やこの方法に利用可能な機器を利用して読み取り、データーを番組企画宛に送信し、即座にその結果が判明することで視聴者や読者などが番組に簡易に敏速に企画参加させる。【０００９】  さらにそれを分析し、番組や紙面の企画を練り直し、より高い企画効果・視聴率効果・広告効果を高める。【００１０】  その範囲はテレビクイズ番組に限らず、競馬中継の予想・野球などのスポーツ観戦、経済・暮らし・政治意見参加番組など広範囲にわたりより正確なデーターを取る。【００１１】  読み取り・配信機能をパソコンや携帯用読み取り器や携帯電話・ゲーム機・ヘッドホン等の機器に付帯させる。【００１２】  記録媒体に記録したデーターや自動的に送られたデーターを集計して、それに見合ったサービスを顧客に送る。【００１３】  参加呼びかけで参加者をその番組の広告商品購入者等に優先権を与えることで消費活動活性化に役立たせる。
【発明の効果】
【００１４】  視聴者や読者がいながらにして企画に参加し、瞬時にその結果を判定し、視聴者にそれに伴うサービスを付与して視聴者参加を促し、視聴率を高めることが出来る。
【発明の実施するための最良の形態】
【００１５】  テレビ・パソコン・雑誌・新聞など媒体上にある印やデーターを携帯電話やこの方法に利用可能な機器を利用して読み取り、データーを番組企画宛に送信し、即座にその結果を判明させること。
【実施例】
【００１６】  パソコン動画上でクイズを出しその答えをバーコードで記し、その解答バーコード上を数人が読み取り器で読み取り、各々動画配信場所に返信し正解と速さを計測したところ、正解率・速さなどが記録され企画参加可能が確かめられた。
【産業上の利用可能性】
【００１７】  視聴者や読者がいながらにして企画に参加し、瞬時にその結果を判定し、視聴者にそれに伴うサービスを付与して視聴者参加を促し、視聴率を高めることが出来る。【００１８】  その範囲はテレビクイズ番組に限らず、競馬中継の予想・野球などのスポーツ観戦、経済・暮らし・政治意見参加番組など広範囲にわたりより正確なデーターがとれる。【００１９】参加呼びかけで参加者をその番組の広告商品購入者等に優先権を与えることで消費活動活性化に役立たせることが出来る。
【図面の簡単な説明】
【００２０】
【図１】  ＩＴ機器を活用した企画参加方法のシステム図である。
【図２】  テレビ・パソコンなどの媒体上の視聴者参加番組上にある印やデーター上に携帯電話やこの方法に利用可能な機器を利用して読み取り、データーを番組企画宛に送信し即座にその結果が判明することで視聴者や読者などが番組に簡易に敏速に企画参加する方法の概略図である。
【符号の説明】
【００２１】      １  テレビなどの媒体
２  番組企画
３  視聴者参加番組
４  視聴者
５  テレビ
６  印やデーター
７  携帯電話
８  パソコン
９  この方法に利用可能な機器
【図１】
2006293958.tif 000003
【図２】
2006293958.tif 000004